(57)【要約】【課題】  小型魚類や水棲生物等の好適な生息空間を与えると共に、複雑な水路形状に適合する魚巣部を備えたコンクリート製の魚巣付水路構造を提供すること。【解決手段】  側壁部に連通孔を有する水路ブロックとこの連通孔に対応する切欠部を有する魚巣ブロックとこの魚巣ブロック上に載置される蓋ブロックとを備え、前記水路ブロックを水路延長方向に敷設して成る水路部の水路外側に魚巣ブロックを配置しこの魚巣ブロック上に蓋ブロックを載置して成る魚巣部を敷設することで構築される魚巣付水路構造であって、前記魚巣ブロックが水路延長方向における一端面が閉塞された一対の端部魚巣ブロックと、この２つの端部魚巣ブロック間に配置された少なくとも１つ以上の中間魚巣ブロックとから構成されている魚巣付水路構造。【選択図】  図１
2005299279.tif 000002
【特許請求の範囲】
【請求項１】
底版部と該底版部の両端側に立設された側壁部とから形成され、側壁部には水路内面から外面に貫通する連通孔を有する水路ブロックと、底部と該底部の両端に立設された直壁部とから形成され、一方の直壁部には前記水路ブロックの連通孔に対応する切欠部を有する魚巣ブロックと、前記魚巣ブロックの両直壁部上に載置される蓋ブロックとを備え、前記水路ブロックを水路延長方向に敷設して成る水路部の水路外側に、水路ブロックの連通孔と切欠部とが連通するように前記魚巣ブロックを配置し、この魚巣ブロック上に蓋ブロックを載置して成る魚巣部を敷設することで構築される魚巣付水路構造であって、前記魚巣ブロックが水路延長方向における一端面が閉塞された一対の端部魚巣ブロックと、この２つの端部魚巣ブロック間に配置された少なくとも１つ以上の中間魚巣ブロックとから構成されている、ことを特徴とする魚巣付水路構造。
【請求項２】
底版部と該底版部の一端側に立設された側壁部とから形成され、側壁部には水路内面から外面に貫通する連通孔を有する水路ブロックと、底部と該底部の両端に立設された直壁部とから形成され、一方の直壁部には前記水路ブロックの連通孔に対応する切欠部を有する魚巣ブロックと、前記魚巣ブロックの両直壁部上に載置される蓋ブロックとを備え、前記水路ブロックを相対するように水路延長方向に敷設すると共に、これら水路ブロックの底版間に場所打ちコンクリートを打設して成る水路部の水路外側に、水路ブロックの連通孔と切欠部とが連通するように前記魚巣ブロックを配置し、この魚巣ブロック上に蓋ブロックを載置して成る魚巣部を敷設することで構築される魚巣付水路構造であって、前記魚巣ブロックが水路延長方向における一端面が閉塞された一対の端部魚巣ブロックと、この２つの端部魚巣ブロック間に配置された少なくとも１つ以上の中間魚巣ブロックとから構成されている、ことを特徴とする魚巣付水路構造。
【請求項３】
隣接する各々の魚巣ブロックの直壁面が略平面状に連続している、ことを特徴とする請求項１または２に記載の魚巣付水路構造。
【請求項４】
水路ブロックの底版部上面と魚巣ブロックの底部上面との間に段差部を設けてなる、ことを特徴とする請求項１乃至３何れか１項に記載の魚巣付水路構造。
【発明の詳細な説明】
【技術分野】
【０００１】
本発明は、河川や農業用排水路等の小型水路をコンクリート部材により構築される水路構造に関し、小型魚類や水棲生物等が生息可能な魚巣部を備えた魚巣付水路構造に係るものである。
【背景技術】
【０００２】
近年、治水を目的とした整備事業や河川改修工事等により小型の河川や農業用排水路等をコンクリート製の各種部材を用いて水路が構築されるようになってきたが、コンクリートを用いた工法は水棲生物にとっての生態環境を変化させることから、水路内における生態系を配慮した各種の自然環境型水路構築工法が採用されている。その一例としては、特許文献１に記載されているような魚巣付コンクリート水路が知られている。
【０００３】
【特許文献１】実開平３−１８２２９号公報
【０００４】
前記公報により開示された魚巣付コンクリート水路は、水路本体の側壁外方に周囲を包囲した中空状体の箱状の魚巣を水路底面に並設状に突設し、側壁内方より魚巣に貫通する魚巣孔を一個所以上刻設したものである。この水路構造によれば、水路本体の両側壁部の外面側にそれぞれ水路内部に連通する魚巣ブロックを配置させることにより、水路本体から独立した小魚や水棲生物等の生息環境を形成することができる。
【発明の開示】
【発明が解決しようとする課題】
【０００５】
しかしながら、この魚巣付コンクリート水路では、小魚等の生息場所を形成する魚巣ブロックが水路延長方向における長さの短い独立した箱状のものが用いられているために、水路内を流れている流水が魚巣孔を介して魚巣ブロック内に流入したとたん、その速度が極端に下がってしまい、魚巣ブロック内部においてこの流水が停滞してしまうことや、流水に含まれて入り込んだゴミ等が自然に排出しずらいことから、魚巣ブロック内全体が極端に澱んでしまっていた。
【０００６】
また、この魚巣部を水路延長方向に連設した場合においても、水路内と各魚巣ブロックとは連通してはいるものの、各々の魚巣ブロック同士は連通していないので、魚巣ブロック内に生息する小魚などが移動する場合には、流水速度の速い水路本流にいったん出ざるをえないので、本流の流水速度に逆らえないものは下流方向に流されてしまい、同一場所における生息が不可能となり、極端に狭い空間内での独立した生態環境とならざるを得ない等の問題点がある。
【０００７】
本発明は、前記事情に鑑みて創作されたもので、その目的とするところは、魚巣部内における流水の澱みを抑制し、この魚巣部内への土砂や有機物等の適度な自然堆積を促進することで、小型魚類や水棲生物等の好適な生息空間を与えると共に、複雑な水路形状に適合する魚巣部を備えた魚巣付水路構造を提供することにある。
【課題を解決するための手段】
【０００８】
前記目的を達成するため、本発明に係る第１の魚巣付水路構造は、底版部と該底版部の両端側に立設された側壁部とから形成され、側壁部には水路内面から外面に貫通する連通孔を有する水路ブロックと、底部と該底部の両端に立設された直壁部とから形成され、一方の直壁部には前記水路ブロックの連通孔に対応する切欠部を有する魚巣ブロックと、前記魚巣ブロックの両直壁部上に載置される蓋ブロックとを備え、前記水路ブロックを水路延長方向に敷設して成る水路部の水路外側に、水路ブロックの連通孔と切欠部とが連通するように前記魚巣ブロックを配置し、この魚巣ブロック上に蓋ブロックを載置して成る魚巣部を敷設することで構築される魚巣付水路構造であって、前記魚巣ブロックが水路延長方向における一端面が閉塞された一対の端部魚巣ブロックと、この２つの端部魚巣ブロック間に配置された少なくとも１つ以上の中間魚巣ブロックとから構成されている、ことをその特徴とする。
【０００９】
また、本発明に係る第２の魚巣付水路構造は、底版部と該底版部の一端側に立設された側壁部とから形成され、側壁部には水路内面から外面に貫通する連通孔を有する水路ブロックと、底部と該底部の両端に立設された直壁部とから形成され、一方の直壁部には前記水路ブロックの連通孔に対応する切欠部を有する魚巣ブロックと、前記魚巣ブロックの両直壁部上に載置される蓋ブロックとを備え、前記水路ブロックを相対するように水路延長方向に敷設すると共に、これら水路ブロックの底版間に場所打ちコンクリートを打設して成る水路部の水路外側に、水路ブロックの連通孔と切欠部とが連通するように前記魚巣ブロックを配置し、この魚巣ブロック上に蓋ブロックを載置して成る魚巣部を敷設することで構築される魚巣付水路構造であって、前記魚巣ブロックが水路延長方向における一端面が閉塞された一対の端部魚巣ブロックと、この２つの端部魚巣ブロック間に配置された少なくとも１つ以上の中間魚巣ブロックとから構成されている、ことをその特徴とする。
【００１０】
そして、具体的には、隣接する各々の魚巣ブロックの側壁面が略平面状に連続している。さらには、水路ブロックの底版部上面と魚巣ブロックの底部上面との間に段差部を設けてなるものである。
【発明の効果】
【００１１】
本発明の魚巣付水路構造によれば、一対の端部魚巣ブロックの間に配置される中間魚巣ブロックの数を適宜増減させるだけで、或いは、一対の端部魚巣ブロックの間に配置される中間魚巣ブロックを水路延長方向の長さが異なる他の中間魚巣ブロックに変えるだけで、水路延長方向における魚巣部の長さを簡単に変更することができ、複雑な水路形状にも適合する魚巣部を形成することができる。しかも、隣接する各々の魚巣ブロックは連通するよう構成されているので、魚巣部内に生息する小型魚類や水棲生物等がこれら魚巣ブロック間を自由に移動することができると共に、魚巣部内における水流の澱みを適度に抑制することで、小型魚類や水棲生物等に好適な生息環境を創り出す魚巣付水路構造を提供することができる。
【００１２】
また、前記の隣接する各々の魚巣ブロックの側壁面を略平面状に連続させることで、魚巣部内における適度な流水速度を保つことにより、魚巣部内における流水の過度の澱みを抑制してゴミ等が停滞するのを防止することができる。
【００１３】
さらに、水路ブロックの底版部上面と魚巣ブロックの底部上面との間に段差部を設けることにより、水路ブロックの連通部を介して魚巣部内に流水と共に流れ込んできた土砂等の有機物を魚巣底部に自然堆積させて、この堆積部に水草などを繁殖させることや環境形成部材の間にできる僅かな隙間を利用して、小型魚類や水棲生物の好適な生息環境を効率よく提供することができる。
【発明を実施するための最良の形態】
【００１４】
[第１実施例]
図１乃至図７は本発明の第１実施例を示すもので、図１は本発明に係る魚巣付水路構造の第１実施例を示す概略説明図、図２は図１の縦方向断面図、図３は図１の横方向断面図、図４は図１に示した水路ブロックの斜視図、図５は図１に示した端部魚巣ブロックと蓋ブロックの分解斜視図、図６は図１に示した中間魚巣ブロックと蓋ブロックの分解斜視図、図７は図１に示した魚巣付水路構造の構築方法の説明図である。
【００１５】
まず、図１乃至図６を参照して、本発明の実施例である魚巣付水路構造１００を詳述する。この魚巣付水路構造１００は、水路延長方向に現場打設による基礎コンリート層ｋ１が設けられ、この基礎コンクリート層ｋ１上に水路ブロック１０を敷設することにより成る水路部Ｓと、この水路部Ｓの両外面側にそれぞれ配置された２つの魚巣部Ｇとから構築され、この魚巣部Ｓは、水路ブロック１０に設けられた連通孔１５を介して水路部Ｓに連通すると共にその水路延長方向の両端がいずれも閉塞されており、その両端に配置された一対の端部魚巣ブロック２０と、この２つの端部魚巣ブロック２０間に配置された複数の中間魚巣ブロック３０と、これら各魚巣ブロック２０，３０上に載置された蓋ブロック４０とから構成されている。
【００１６】
水路ブロック１０は、図４に示されるように、水路底部となる底版部１１とその両端側に立設された側壁部１２とから概略形状が上面を開放した略Ｕ字型に形成され、底版部１１の両端には側壁部１２よりも外側に突出する張出底版部１３を有し、底版部上面と各側壁部の内面とは約４５度で連続する段差部１４を介して連続しており、各側壁部１２の底版部１１寄りには側壁部内面１２ｉから外面１２ｏに貫通形成された連通孔１５が長さ方向に間隔をおいて２個づつ設けられ、各々の連通孔１５の下端は前記段差部１４の上端に一致している。勿論、この連通孔１５の位置はその下端が底版部１１の上面よりも上方に位置していれば良いので、その下端が段差部１４の中間に位置するものや段差部１４の上端よりも若干上方に位置するものであっても構わず、この連通孔１５の個数においては１箇所であっても３箇所以上であっても構わない。また、各側壁部外面１２ｏの前後両端寄りには、端部魚巣ブロック２０Ａ，２０Ｂ又は中間魚巣ブロック３０を取り付けるためのインサートｉ１がそれぞれ１箇所づつ埋設されている。
【００１７】
魚巣ブロックは、図５（ａ）及び（ｂ）に示される魚巣部Ｇの両端部に配置される端部魚巣ブロック２０Ａ，２０Ｂと、図６に示される前記端部魚巣ブロック２０Ａと２０Ｂとの間に配置される中間魚巣ブロック３０とからなり、各魚巣ブロックの上にはいずれも平板状の蓋ブロック４０が載置されるものである。
【００１８】
端部魚巣ブロック２０Ａ及び２０Ｂは、対称に形成されていて、底部２１とその両端に立設された直壁部２２と長手方向の一端を閉塞する端壁部２３とから上面及び長手方向の他端側が開放されるように形成され、底部２１の上面と各直壁部２２の内面とは約４５度で連続する段差部２４を介して連続しており、水路側に配置される第１直壁部２２ａには長さ方向の全体の略半分以上に亘り第１直壁部２２ａの上端から段差部２４の上端まで開口された切欠部２５が設けられると共に、この切欠部２５によって隔てられた各々の第１直壁部２２ａの内面には水路ブロック１０に取り付けるためのインサートｉ１が１個ずつ埋設され、水路外側に配置される第２直壁部２２ｂの外面の前端寄り及び後端寄りには蓋ブロック４０を取り付けるためのインサートｉ２が埋設され、第２直壁部２２ｂの外面の開放端寄りには中間魚巣ブロック３０を接続するためのインサートｉ３が１個埋設されている。勿論、この切欠部２５の位置はその下端が底部上面よりも上方に位置していれば良いので、その下端が段差部の中間に位置するものや段差部の上端よりも上方に位置するものであっても構わない。
【００１９】
中間魚巣ブロック３０は、底部３１とその両端に立設された直壁部３２とから上面及び長手方向の両端が開放されるように形成され、底部上面３１ｂと各直壁部３２の内面とは約４５度で連続する段差部３４を介して連続しており、水路側に配置される第１直壁部３２ａには長さ方向の全体の略半分以上に亘りその上端３２ａｔから段差部３４の上端まで開口された切欠部３５が設けられると共に、この切欠部３５によって隔てられた各々の第１直壁部３２ａの内面には水路ブロック１０に取り付けるためのインサートｉ１が１個ずつ埋設され、水路外側に配置される第２直壁部３２ｂの外面の前端寄り及び後端寄りには蓋ブロック４０を取り付けるためのインサートｉ２と、ブロック長手方向に隣接する他の中間魚巣ブロック又は端部魚巣ブロックを接続するためのインサートが各々１個づつ埋設されている。勿論、この切欠部の位置はその下端が底部上面よりも上方に位置していれば良いので、その下端が段差部の中間に位置するものや段差部の上端よりも上方に位置するものであっても構わない。
【００２０】
蓋ブロック４０は、矩形平板状に形成され、その幅方向及び長手方向の大きさは前記魚巣ブロックの幅方向及び長手方向の大きさに対応しており、その一端面の前端寄り及び後端寄りには端部魚巣ブロック２０又は中間魚巣ブロック３０に取り付けるためのインサートｉ２が１個ずつ埋設されている。
【００２１】
尚、図４の符号ｐ1に示すものは水路ブロック１０と端部魚巣ブロック２０Ａ，２０Ｂ又は中間魚巣ブロック３０とを接続するための接続金具であり、符号ｐ２に示すものは端部魚巣ブロック２０Ａ，２０Ｂ又は中間魚巣ブロック３０と蓋ブロック４０とを取り付けるための接続プレートであり、符号ｐ３に示すものは端部魚巣ブロック２０Ａ，２０Ｂ又は中間魚巣ブロック３０と隣接する他の魚巣ブロックとを接続するための接続プレートである。
【００２２】
以下に、図１乃至図６に示した魚巣付水路の構築手順を図７を参照して説明する。
【００２３】
まず、現場打設により形成された基礎コンクリート層ｋ１上に最初となる第１スパンの水路ブロック１０を敷設し、水路延長方向に隣接する次スパンの水路ブロック１０を順次配置して所定スパンの水路部Ｓを敷設した後、水路ブロック１０の両方の張出底版部１３，１３側を埋め戻すと共に端部魚巣ブロック２０及び中間魚巣ブロック３０を敷設するための基礎コンクリート層ｋ２を現場打設により形成する。このとき、各魚巣ブロックの一部は張出底版部１３の上面に配置されるので、それ以外の部位を敷設するための基礎コンクリート層ｋ２を形成する際には、張出底版部１３の上面高さに基づいて基礎コンクリートを打設することによりその作業を的確に実施することができる。また、水路ブロック１０の延長底版部１３の張出長さを各魚巣ブロック２０，３０の幅方向の大きさと同一にするか、或いは各魚巣ブロックの幅方向の大きさよりも大きくすることにより、前記基礎コンクリート層ｋ２を省略することもできる。
【００２４】
次に、所定スパン敷設された水路部Ｓの一方の側に魚巣部を敷設する。まず、第１スパンの水路ブロック１０の一方の側壁部１２（図１の右側に示される側壁）の外面側に、その切欠部２５と水路ブロック１０の連通孔１５とが連通し、且つ、端壁部２３が至端になるように端部魚巣ブロック２０Ａを配置し、側壁部１２の外面に設けられたインサートｉ１と第１直壁部２２ａの内面に設けられたインサートｉ１との位置を合わせて接続金具ｐ１とボルトを用いて水路ブロック１０と端部魚巣ブロック２０Ａとを連結する。
【００２５】
そして、第２スパンの水路ブロック１０の一方の側壁部１２の外面側に、その切欠部３５と側壁部１２に設けられた連通孔１５とが連通し、且つ、その一端面が端部魚巣ブロック２０Ａの開放端面に当接するように中間魚巣ブロック３０を配置し、側壁部１２の外面に設けられたインサートｉ１と第１直壁部３２ａの内面に設けられたインサートｉ１との位置を合わせて接続金具ｐ１とボルトを用いて水路ブロック１０と中間魚巣ブロック３０とを連結し、さらに、その第２直壁部３２ｂの外面に設けられたインサートｉ３と端部魚巣ブロック２０Ａの第２直壁部２２ｂに設けられたインサートｉ３との位置を合わせて連結プレートｐ３とボルトを用いて端部魚巣ブロック２０Ａと中間魚巣ブロック３０とを連結する。第２スパンに中間魚巣ブロック３０を配置した後に、水路延長方向に隣接する次スパンの中間魚巣ブロック３０を配置する作業を前述したものと同様の手順によって行い、この連結作業を繰り返すことにより水路延長方向に中間魚巣ブロック３０を順次配置する。
【００２６】
そして、最終スパンの水路ブロック１０の一方の側壁部１２の外面側に、その切欠部２５と側壁部１２に設けられた連通孔１５とが連通し、且つ、その開放端面が中間魚巣ブロック３０の一端面に当接すると共に端壁部２３が至端になるように端部魚巣ブロック２０Ｂを配置し、側壁部１２の外面に設けられたインサートｉ１と第１直壁部２２ａの内面に設けられたインサートｉ１との位置を合わせて接続金具ｐ１とボルトを用いて水路ブロック１０と端部魚巣ブロック２０Ｂとを連結し、さらに、その第２直壁部２２ｂの外面に設けられたインサートｉ３と中間魚巣ブロック３０の第２直壁部３２ｂに設けられたインサートｉ３との位置を合わせて連結プレートｐ３とボルトを用いて中間魚巣ブロック３０と端部魚巣ブロック２０Ｂとを連結する。
【００２７】
そして、所定スパン敷設された水路部Ｓの一方の側に端部魚巣ブロック２０Ａ，２０Ｂ及び中間魚巣ブロック３０が配置された後は、これら各魚巣ブロック上に蓋ブロック４０を配置して、その側面に設けられたインサートｉ２と各魚巣ブロックに設けられているインサートｉ２の位置を合わせて、それそれ連結プレートｐ２とボルトを用いて端部魚巣ブロック２０Ａ，２０Ｂ及び中間魚巣ブロック３０と蓋ブロック４０とを連結して一方の魚巣部の敷設を完了する。
【００２８】
このとき、蓋ブロック４０を各魚巣ブロック上に配置する前の段階で、これら各魚巣ブロックにより形成された空間底部に、適宜大きさの砕石、砂利、砂等からなる環境形成部材をあらかじめ敷き詰めておけば、構築後の魚巣内部において僅かな隙間を数多く形成することにより小魚や水棲生物等にとってより好適な環境を創り出すことができる。また、隣接する各魚巣ブロックの当接端面間や、各魚巣ブロックと蓋ブロックとの当接面間に止水パッキンを介在させることにより各々のブロックの連結面からの漏水を防止する効果を向上させることができる。
【００２９】
次に、所定スパン敷設された水路部Ｓの他方の側に魚巣部Ｇを敷設する。この敷設作業は、第１スパンの水路ブロック１０の他方の側壁部１２（図１の左側に示される側壁）の外面側に配置されるものは端部魚巣ブロック２０Ｂであり、最終スパンの水路ブロック１０の他方の側壁部１２の外面側に配置されるものは端部魚巣ブロック２０Ａである他は、前述した一方の側の魚巣部Ｇの敷設作業と同様の手順によって行われる。
【００３０】
この後、水路部Ｓの両側に敷設された魚巣部Ｇを埋め戻すことにより図１に示した魚巣付水路構造が構築される。勿論、この埋め戻し作業については、水路部Ｓの一方の魚巣部Ｇの敷設作業が終了した時点で片側のみを埋め戻し、その後他方の魚巣部の敷設作業及び埋め戻し作業を行っても構わない。
【００３１】
このように、第１実施例に係る魚巣付水路構造１００は、複数の水路ブロック１０を水路延長方向に敷設することにより成る水路部Ｓと、この水路部Ｓの水路外側のそれぞれ配置された、水路延長方向における一端面が閉塞された一対の端部魚巣ブロック２０Ａ，２０Ｂとこの２つの魚巣ブロック間に配置された少なくとも１つ以上の中間魚巣ブロック３０とこれら各魚巣ブロック上に配置された蓋ブロックとを連結して構成された魚巣部Ｓとを備える。
【００３２】
つまり、一対の端部魚巣ブロックの間に配置される中間魚巣ブロックの数を適宜増減させるだけで、或いは、一対の端部魚巣ブロックの間に配置される中間魚巣ブロックを水路延長方向の長さが異なる他の中間魚巣ブロックに変えるだけで、水路延長方向における魚巣部の長さを簡単に変更することができ、複雑な水路形状にも適合する魚巣部を形成することができる。しかも、隣接する各々の魚巣ブロックは連通するよう構成されているので、魚巣部内に生息する小型魚類や水棲生物等がこれら魚巣ブロック間を自由に移動することができると共に、魚巣部内における水流の澱みを適度に抑制することで、小型魚類や水棲生物等に好適な生息環境を創り出す魚巣付水路構造を提供することができる。
【００３３】
また、隣接する各々の魚巣ブロックの側壁面は略平面状に連続されているので、魚巣部内における適度な流水速度を保つことにより、魚巣部内における流水の過度の澱みを抑制してゴミ等が停滞するのを防止することができる。
【００３４】
さらに、水路ブロックの連通孔の下端位置は段差部を介して底版部上面よりも上方に設けられ、各魚巣ブロックの切欠部の下端位置もまた段差部を介して底部上面よりも上方に設けられているので、構築後の水路部の底面高さと魚巣部の底面高さに関係なく、魚巣部の底部には流水と共に流れ込んできた土砂等の有機物を自然堆積させて生態系の維持に有用な堆積層を形成することができる。
【００３５】
さらにまた、あらかじめ魚巣底部に環境形成部材を敷き詰めることにより、前述した流水に含まれる有機物の自然堆積の効果の向上はもとより、この堆積部に水草などを繁殖させることや環境形成部材の間にできる僅かな隙間を利用して、小型魚類や水棲生物の好適な生息環境を効率よく提供することができる。ちなみに、水路部と魚巣部との連通部には前述の段差部が介在しているので、この環境形成部材が水路部へ流出を防ぐと共に、自然堆積によって形成される堆積層の厚さを略一定の厚さに保つことができる。
【００３６】
以上の説明では、水路ブロックとして両側壁のそれぞれに連通孔を有するものを例示したが、一方の側壁部に連通孔を有し他方の側壁部には連通孔を有しないものを水路ブロックとして採用し、水路部Ｓの一方の側にのみ魚巣部Ｇを有する魚巣付水路構造としても良い。
【００３７】
[第２実施例]
図８乃至図１１は本発明の第２実施例を示すもので、図８は本発明に係る魚巣付水路構造の第２実施例を示す概略説明図、図９は図８の縦方向断面図、図１０は図８に示した水路ブロックの斜視図、図１１は図８に示した魚巣付水路構造の構築方法の説明図である。
【００３８】
この魚巣付水路構造が、図１乃至図３に示した魚巣付水路構造と異なるところは、水路部Ｓが、基礎コンクリート層ｋ１上に相対するように配置された２つのＬ型の水路ブロック５０と、これら水路ブロック５０それぞれの底版部５１の先端と基礎コンクリート層ｋ１の上面とからなる空間に場所打ちコンクリートを打設することにより形成された水路底部６０とから構成されている点にある。
【００３９】
水路ブロック５０は、図１０に示されるように、水路底部の一部となる底版部５１とその一端側に立設された側壁部５２とから概略形状が略Ｌ字型に形成され、底版部１１の一端には側壁部５２よりも外側に突出する張出底版部５３を有し、底版部上面と側壁部内面５２ｉとは約４５度で連続する段差部５４を介して連続しており、側壁部５２の底版部５１寄りには側壁部内面５２ｉから外面５２ｏに貫通形成された連通孔５５が長さ方向に間隔をおいて２個設けられ、各連通孔５５の下端は前記段差部５４の上端に一致している。勿論、この連通孔５５の位置はその下端が底版部５１の上面よりも上方に位置していれば良いので、その下端が段差部５４の中間に位置するものや段差部５４の上端よりも若干上方に位置するものであっても構わず、この連通孔５５の個数においては１箇所であっても３箇所以上であっても構わない。また、底版部５１の水路側の先端は段部を介して上下２段に形成され、これらの上下端面には水路内面方向に突出する突出鉄筋５６が長さ方向に間隔をおいてそれぞれ８本づつ設けられ、側壁部外面５２ｏの前後両端寄りには、端部魚巣ブロック２０Ａ，２０Ｂ又は中間魚巣ブロック３０を取り付けるためのインサートｉ１が１箇所づつ埋設されている。
【００４０】
以下に、図８乃至図１０に示した魚巣付水路の構築手順を図１１を参照して説明する。
【００４１】
まず、現場打設により形成された基礎コンクリート層ｋ１上に最初となる第１スパンの２つの水路ブロック５０を互いの底版部５１の先端が向き合うように配置し、水路延長方向に隣接する次スパンの水路ブロック５０を順次配置して所定スパンの水路ブロック５０を配置した後、相対する各々の水路ブロック５０の底版部５１の先端と基礎コンクリート層ｋ１の上面によりなる空間内において、相互に対向する突出鉄筋５６を図示省略の補強鉄筋にて溶着・結束等の手段を用いて格子状に連結すると共に、この空間内に場所打ちコンクリートを打設することにより所定スパンの水路部Ｓを敷設する。勿論、水路幅方向の一方に所定スパンの水路ブロック５０の全てを配置し、その後、他方に相対するように残りの水路ブロック５０を配置しても構わない。
【００４２】
その後、両側に敷設された水路ブロック５０のそれぞれの張出底版部５３側を埋め戻すと共に端部魚巣ブロック２０及び中間魚巣ブロック３０を敷設するための基礎コンクリート層ｋ２を現場打設により形成する。このとき、各魚巣ブロックの一部は張出底版部５３の上面に配置されるので、それ以外の部位を敷設するための基礎コンクリート層ｋ２を形成する際には、張出底版部５３の上面高さに基づいてコンクリートを打設することによりその作業を的確に実施することができる。また、水路ブロック５０の延長底版部５３の張出長さを各魚巣ブロック２０，３０の幅方向の大きさと同一にするか、或いは各魚巣ブロックの幅方向の大きさよりも大きくすることにより、前記基礎コンクリート層ｋ２を省略することもできる。
【００４３】
次に、所定スパン敷設された水路部Ｓの一方の側に魚巣部Ｇを敷設する。まず、第１スパンの一方の水路ブロック５０の側壁部５２の外面側に、その切欠部２５と水路ブロック１５の連通孔５５とが連通し、且つ、端壁部２３が至端になるように端部魚巣ブロック２０Ａを配置し、側壁部５２の外面に設けられたインサートｉ１と第１直壁部２２ａの内面に設けられたインサートｉ１との位置を合わせて接続金具ｐ１とボルトを用いて水路ブロック５０と端部魚巣ブロック２０Ａとを連結する。
【００４４】
そして、第２スパンの水路ブロック５０の側壁部１２の外面側に、その切欠部３５と側壁部５２に設けられた連通孔５５とが連通し、且つ、その一端面が端部魚巣ブロック２０Ａの開放端面に当接するように中間魚巣ブロック３０を配置し、側壁部５２の外面に設けられたインサートｉ１と第１直壁部３２ａの内面に設けられたインサートｉ１との位置を合わせて接続金具ｐ１とボルトを用いて水路ブロック５０と中間魚巣ブロック３０とを連結し、さらに、その第２直壁部３２ｂの外面に設けられたインサートｉ３と端部魚巣ブロック２０Ａの第２直壁部２２ｂに設けられたインサートｉ３との位置を合わせて連結プレートｐ３とボルトを用いて端部魚巣ブロック２０Ａと中間魚巣ブロック３０とを連結する。第２スパンに中間魚巣ブロック３０を配置した後に、水路延長方向に隣接する次スパンの中間魚巣ブロック３０を配置する作業を前述したものと同様の手順によって行い、この連結作業を繰り返すことにより水路延長方向に中間魚巣ブロック３０を順次配置する。
【００４５】
そして、最終スパンの水路ブロック５０の側壁部５２の外面側に、その切欠部２５と側壁部５２に設けられた連通孔５５とが連通し、且つ、その開放端面が中間魚巣ブロック３０の一端面に当接すると共に端壁部２３が至端になるように端部魚巣ブロック２０Ｂを配置し、側壁部５２の外面に設けられたインサートｉ１と第１直壁部２２ａの内面に設けられたインサートｉ１との位置を合わせて接続金具ｐ１とボルトを用いて水路ブロック５０と端部魚巣ブロック２０Ｂとを連結し、さらに、その第２直壁部２２ｂの外面に設けられたインサートｉ３と中間魚巣ブロック３０の第２直壁部３２ｂに設けられたインサートｉ３との位置を合わせて連結プレートｐ３とボルトを用いて中間魚巣ブロック３０と端部魚巣ブロック２０Ｂとを連結する。
【００４６】
そして、所定スパン敷設された水路部Ｓの一方の側に端部魚巣ブロック２０Ａ，２０Ｂ及び中間魚巣ブロック３０が配置された後は、これら各魚巣ブロック上に蓋ブロック４０を配置して、その側面に設けられたインサートｉ２と各魚巣ブロックに設けられているインサートｉ２の位置を合わせて、それそれ連結プレートｐ２とボルトを用いて端部魚巣ブロック２０Ａ，２０Ｂ及び中間魚巣ブロック３０と蓋ブロック４０とを連結して一方の魚巣部の敷設を完了する。
【００４７】
このとき、蓋ブロック４０を各魚巣ブロック２０，３０上に配置する前の段階で、これら各魚巣ブロックにより形成された空間底部に、適宜大きさの砕石、砂利、砂等からなる環境形成部材をあらかじめ敷き詰めておけば、構築後の魚巣内部において僅かな隙間を数多く形成することにより小魚や水棲生物等にとってより好適な環境を創り出すことができる。また、隣接する各魚巣ブロックの当接端面間や、各魚巣ブロックと蓋ブロックとの当接面間に図示省略の止水パッキンを介在させることにより各々のブロックの連結面からの漏水を防止する効果を向上させることができる。
【００４８】
次に、所定スパン敷設された水路部Ｓの他方の側に魚巣部Ｇを敷設する。この敷設作業は、第１スパンの他方に配置された水路ブロック５０の側壁部５２の外面側に配置されるものは端部魚巣ブロック２０Ｂであり、最終スパンの水路ブロック５０の側壁部５２の外面側に配置されるものは端部魚巣ブロック２０Ａである他は、前述した一方の側の魚巣部Ｇの敷設作業と同様の手順によって行われる。
【００４９】
この後、水路部Ｓの両側に敷設された魚巣部Ｇを埋め戻すことにより図８に示した魚巣付水路構造が構築される。勿論、この埋め戻し作業については、水路部Ｓの一方の魚巣部Ｇの敷設作業が終了した時点で片側のみを埋め戻し、その後他方の魚巣部Ｇの敷設作業及び埋め戻し作業を行っても構わない。
【００５０】
このように、第２実施例に係る魚巣付水路構造２００においても、水路部Ｓが基礎コンクリート層Ｋ１上に相対するように配置された２つのＬ型の水路ブロック５０と、これら水路ブロック５０それぞれの底版部５１の先端と基礎コンクリート層Ｋ１の上面とからなる空間に場所打ちコンクリートを打設することにより形成された水路底部６０とから構成されている以外の点については、第１実施例で示した魚巣付水路構造１００と同様の構成を備えているので、同様の作用効果を得ることができる。
【産業上の利用可能性】
【００５１】
本発明にあって、水路形状やその施工現場が複雑である場合であっても、連続する魚巣部の長さを簡単に変更することで、あらゆる状況に応じた水路構造を採用することが可能となったものであり、小型の河川や農業用排水路は勿論のこと、大規模な河川の改修にあっても十分に利用が可能となったものである。
【図面の簡単な説明】
【００５２】
【図１】本発明に係る魚巣付水路構造の第１実施例を示す概略説明図
【図２】図１に示した魚巣付水路構造の縦方向断面図
【図３】図１に示した魚巣付水路構造の横方向断面図
【図４】図１に示した水路ブロックの斜視図
【図５】図１に示した端部魚巣ブロックと蓋ブロックの分解斜視図
【図６】図１に示した中間魚巣ブロックと蓋ブロックの分解斜視図
【図７】図１に示した魚巣付水路構造の構築方法の説明図
【図８】本発明に係る魚巣付水路構造の第２実施例を示す概略説明図
【図９】図８に示した魚巣付水路構造の縦方向断面図
【図１０】図８に示した水路ブロックの斜視図
【図１１】図８に示した魚巣付水路構造の構築方法の説明図
【符号の説明】
【００５３】
Ｓ…水路部、Ｇ…魚巣部、１０…水路ブロック、１１…底版部、１２…側壁部、１３…張出底版部、１４…段差部、１５…連通孔、２０Ａ，２０Ｂ…端部魚巣ブロック、２１…底部、２２ａ…第１直壁部、２２ｂ…第２直壁部、２３…端壁部、２４…段差部、２５…切欠部、３０…中間魚巣ブロック、３１…底部、３２ａ…第１直壁部、３２ｂ…第２直壁部、３４…段差部、３５切欠部、４０…蓋ブロック、１００…第１実施例の魚巣付水路構造、５０…水路ブロック、５１…底版部、５２…側壁部、５３…張出底版部、５４…段差部、５５…連通孔、５６…突出鉄筋、６０…水路底部、２００…第２実施例の魚巣付水路構造。
【図１】
2005299279.tif 000003
【図２】
2005299279.tif 000004
【図３】
2005299279.tif 000005
【図４】
2005299279.tif 000006
【図５】
2005299279.tif 000007
【図６】
2005299279.tif 000008
【図７】
2005299279.tif 000009
【図８】
2005299279.tif 000010
【図９】
2005299279.tif 000011
【図１０】
2005299279.tif 000012
【図１１】
2005299279.tif 000013